(57)【要約】  本発明は、手足、関節および胴体のリハビリテーションおよび運動のための装置に関する。
2008523859.tif 000002
【特許請求の範囲】
【請求項１】
連結部（１２）の手段によって中央支持部（２２）と結合した台（１３、７０）からなり、前記連結部は、前記中空の容器（１０）と前記可動おもり（１１）を合わせた全体の重心の高さよりも高い位置にあることを特徴とする手足および胴体を運動させるための装置。
【請求項２】
液体または固体の可動おもり（１１）を有する中空の容器（１０）からさらになり、前記容器は前記台（１３、７０）と結合していることを特徴とする請求項１に記載の手足および胴体を運動させるための装置。
【請求項３】
前記中央支持部（２２）には、床上で静止するための基部（２６）が設けられていることを特徴とする前記の諸請求項に記載の手足および胴体を運動させるための装置。
【請求項４】
前記中空の容器（１０）は、一方の面では実質的に平坦であり、前記中央支持部（２２）と結合するための前記連結部（２１）を座席に保持する中央の凹部を有する他方の面では半ドーナツ形状をしていることを特徴とする前記の諸請求項に記載の手足および胴体を運動させるための装置。
【請求項５】
前記中空の容器は、台（１３、７０）およびその連結部（７１）のための突出した座席部分に係合することが可能な、少なくとも１つの可動リング状容器（７３、７４、７５）からなることを特徴とする請求項２から４に記載の手足および胴体を運動させるための装置。
【請求項６】
前記少なくとも１つの可動リング状容器（７３、７４、７５）は、中空でないことを特徴とする請求項５に記載の手足および胴体を運動させるための装置。
【請求項７】
前記少なくとも１つの可動リング状容器（７３、７４、７５）には、中空または中空でない内室が設けられていることを特徴とする請求項５に記載の手足および胴体を運動させるための装置。
【請求項８】
前記少なくとも１つの可動リング状容器（７３、７４、７５）は、様々な断面形状を有することが可能であることを特徴とする請求項５から７に記載の手足および胴体を運動させるための装置。
【請求項９】
前記中央支持部（２２）は、前記中空の容器（１０）または前記台（１３、７０）の揺れを止めるためのプレート（２３）を有していることを特徴とする前記の諸請求項に記載の手足および胴体を運動させるための装置。
【請求項１０】
前記プレート（２３）は、ディスク形状をしていることを特徴とする請求項９に記載の手足および胴体を運動させるための装置。
【請求項１１】
前記プレート（２３）は、前記中央支持部（２２）の周囲を自由に回転することが可能であることを特徴とする請求項１０に記載の手足および胴体を運動させるための装置。
【請求項１２】
前記プレートには、前記中空の容器（１０）または前記台（１３、７０）と接触する領域と同じ位置にガスケット（２４）が設けられていることを特徴とする請求項１１に記載の手足および胴体を運動させるための装置。
【請求項１３】
前記ガスケット（２４）は、ガスケットの面部の傾きに従って座席が様々に傾くことができるように、不均一の厚さを有していることを特徴とする請求項１２に記載の手足および胴体を運動させるための装置。
【請求項１４】
前記プレートには、前記中央支持部（２２）に沿って高さを調節するための機構（２５）が設けられていることを特徴とする請求項１３に記載の手足および胴体を運動させるための装置。
【請求項１５】
前記中空の容器（１０）または前記台（１３、７０）には、床上で静止するための前記基部（２６）に対して高さを調節するための機構（２７）が設けられていることを特徴とする前記の諸請求項に記載の手足および胴体を運動させるための装置。
【請求項１６】
前記中空の容器（１０）または前記少なくとも１つの可動リング状容器（７３、７４、７５）には、１つ以上の好ましい方向に前記可動おもり２８の動きを定めるのに適した１つ以上の内壁が設けられていることを特徴とする前記の諸請求項に記載の手足および胴体を運動させるための装置。
【請求項１７】
前記中空の容器（１０）または前記少なくとも１つの可動リング状容器（７３、７４、７５）には、その内壁または外壁に、容器が他の方向に動くことを抑制し一定の方向に運動を促進するための固定おもりが設けられていることを特徴とする前記の諸請求項に記載の手足および胴体を運動させるための装置。
【請求項１８】
前記固定おもりは、金属のエッジ、バンド、スタッドなどから構成されることを特徴とする請求項１７に記載の手足および胴体を運動させるための装置。
【請求項１９】
前記中央支持部（２２）と結合するための前記接合部（２１）は、ボールジョイントであることを特徴とする前記の諸請求項に記載の手足および胴体を運動させるための装置。
【請求項２０】
前記中央支持部（２２）と結合するための前記接合部（２１）は、望ましい方向にだけ自由に回転することが可能なタイプのジョイントであることを特徴とする前記の諸請求項に記載の手足および胴体を運動させるための装置。
【請求項２１】
背もたれ（３０）およびアームレスト（３１）が設けられている支持部からなることを特徴とする前記の諸請求項に記載の手足および胴体を運動させるための装置。
【請求項２２】
前記中空の容器（１０）または前記台（１３、７０）の上面、または前記少なくとも１つの可動リング状容器（７３、７４、７５）は、滑り止め材（４０）に覆われていることを特徴とする前記の諸請求項に記載の手足および胴体を運動させるための装置。
【請求項２３】
前記中空の容器（１０）は、その上面にハンドグリップ（６０）が設けられていることを特徴とする前記の諸請求項に記載の手足および胴体を運動させるための装置。
【請求項２４】
前記中央支持部（２２）と結合するための前記接合部（１２）のための座席部は、前記中空の容器（１０）または前記台（１３、７０）の支持表面の上にあり、そうすることで容器の重心の高さと装置を揺れさせる際の支点の高さとの差が増大することを特徴とする前記の諸請求項に記載の手足および胴体を運動させるための装置。
【請求項２５】
前記中空の容器（１０）または前記台（１３、７０）の揺れを止めるための前記プレート（２３）には、前記プレートまたはガスケット（２４）に適用された、適切な接触センサーが設けられていることを特徴とする前記の諸請求項に記載の手足および胴体を運動させるための装置。
【請求項２６】
前記接触センサーは、電子データ取得ボードに接続されていることを特徴とする請求項２５に記載の手足および胴体を運動させるための装置。
【請求項２７】
前記接触センサーは、圧電センサーであることを特徴とする請求項２６に記載の手足および胴体を運動させるための装置。
【請求項２８】
前記接触センサーは、マイクロスイッチセンサーであることを特徴とする請求項２６に記載の手足および胴体を運動させるための装置。
【発明の詳細な説明】
【技術分野】
【０００１】
本発明は、身体的な健康、特には手足、関節および胴体のリハビリテーションおよび運動のための物品の分野に関する。
【背景技術】
【０００２】
周知のように、外傷および事故の後のリハビリテーションには、しばしば長い時間がかかり、そしてとりわけ、患者が使用する器具は高価で操作性が悪く、また、患者は治療を受けるためにそういった器具が使用される専門のセンターにかよう必要がある場合がある。これに加えて、外傷および事故の後のリハビリテーションのための器具は使用するのにかなりの力を必要とする複雑な運動器具からなることが多く、それらの器具を使った運動は、使用時間や運動の効果、それから患者の精神力にもよるが、非常に疲れる場合がある。
【特許文献１】国際公開第２００４／０６２４３４号パンフレット
【発明の開示】
【発明が解決しようとする課題】
【０００３】
上記課題に鑑みるに、使用者に多大な労力をかけることなくリハビリテーションおよびトレーニング運動を行うことが可能な、寸法の小さな装置を提供することが明らかに必要とされている。
【課題を解決するための手段】
【０００４】
液体または固体の可動おもりを有する中空の容器からなる手足および胴体を運動させるための装置であり、前記容器は連結部の手段によって中央支持部に結合しており、そして前記連結部は前記中空の容器および前記可動おもりを合わせた全体の重心の高さよりも高い位置にある。
【発明を実施するための最良の形態】
【０００５】
特許文献１には、支持部の周囲を動くことが可能なフットレスト手段によって、足および関節を運動させることが可能な動的足乗せ台が開示されている。好ましい実施形態の１つとして、この装置は図１に記載の構造を有している。
【０００６】
前記動的足乗せ台のこの実施形態が有する基本的な特徴は、以下の通りである。前記足乗せ台は中空の容器１０と結合された台１３からなっており、さらに該中空の容器１０は液体または固体の可動おもり１１を含んでおり、前記容器、前記台またはその双方は、連結部１２の手段によって適切に動くことができる。ここで、前記連結部１２は、前記中空の体部と前記可動おもりを合わせた全体の重心の高さよりも高い位置にある。前記台１３は平坦でもよいし、容器の様々な上部表面形状に合わせた形をしていてもよい。
【０００７】
容器の形状は、最小の作用力で最大の慣性推進力を得ることができるように作られている。事実、容器１０の支持表面が床に対して水平となっている装置の待機位置においては、可動おもりは連結部１２の周囲にて容器の基部の上に均一に配置されている。このとき、容器がわずかに傾くだけで、可動おもりは容器が引きつけられている側に著しく移動する。そうなることで、使用者の足に作用して足首および下半身全体を刺激し、関節、筋肉および血液循環に有益な運動をもたらす。
【０００８】
この機構は使用者の小さな動きによって引き起こされるものであり、従って、使用者は装置に意図的な力を加える必要なく受動的な運動効果を得ることが可能である。
【０００９】
特許文献１に記載の物品となる装置の有効性を踏まえ、体の他の部分および異なる病状または運動の要求を考慮して、フィットネスまたはリハビリテーションにまで適用を広げるために、該装置の適用の分野を拡張することが望ましい。
【００１０】
本発明の物品となる装置は、従来とは異なる分野で使用することができるように従来の装置を応用したものである。
【００１１】
図２には、スツール（ｓｔｏｏｌ）形状をした、本発明に従う装置の第１の実施形態が示されている。
【００１２】
前記装置は、中空の容器状に形成された座席２０からなっており、その一方の側は基本的に平坦であり、他方の側は半ドーナツ形状となっている。該半ドーナツ形状となっている側では、中央支持部２２に連結するための連結部２１を座席に保持するための凹部が中央に設けられている。中空の容器は、その内部を自由に動くことができる液体または固体よりなる可動おもり２８を有している。別法では、容器の内部には、１つ以上の好ましい方向に前記可動おもり２８の動きを定めるための内壁が設けられていてもよい。
【００１３】
また、前記容器には、その内壁または外壁に、容器が他の方向に動くことを抑制し一定の方向に運動を促進するための固定おもりが設けられてもよい。例えば、前記固定おもりは、金属のエッジ、バンド、スタッドなどといった形状で適用されてよい。
【００１４】
中空の容器は、ボールジョイントのような適切な連結手段によって中央支持部に結合される。連結手段は中空の容器を、前記軸の周囲を完全に、または制限された角度だけ、もしくはある方向にだけ自由に回転することを可能とし、その回転は、個別の求めに応じてある一定の他の方向にだけ一定の摩擦−すなわち抑制−を付与することによって定められる。
【００１５】
中央支持部２２はプレート２３を有しており、それは好ましくは円盤形状をしており、座席２０の揺れを止める働きを有する。好ましくは、前記プレートは、前記中空の容器１０と接触する領域と同じ位置にガスケット２４を有しており、それは、ガスケットの面部の傾きに従って座席が様々に傾くことを可能にするために、不均一の厚さを有していてもよい。さらに、好ましくは、前記プレートには、中央支持部２２に沿って高さを調節することができ、前記中央支持部２２の周囲を回転することが可能な機構２５が設けられてよい。
【００１６】
本発明に従う装置の第１の好ましい実施形態の中央支持部には、床で静止するための基部２６が設けられており、それもまた、床からの座席の高さを調節するための機構２７をさらに有する。
【００１７】
上記の実施形態における装置は、使用者の骨盤、胴体および全脊柱の回転運動を促進するという利点を有しており、その運動は腹筋および背筋に関係する。
【００１８】
図３に示されているように、上記の装置は、背もたれ３０およびアームレスト３１といった支持部が付与されることで完全なものとなる。
【００１９】
本発明に従う装置の寸法、および中空の容器の内部にある可動おもりの量は、提供される個別の適用によって異なる。
【００２０】
図４には、本発明に従う装置のさらに好ましい実施形態が示されている。これは揺れる台であり、前記実施形態におけるものと同じ方法で実現され、好ましくは、その上側が適切な滑り止め材４０によって覆われていることにより、使用者は装置に含まれている可動おもりによってもたらされる動きを下半身の筋肉を用いて補正するようにバランスをとって、装置の上に立ち続けなければならない。これを続けることで、下半身の筋肉、特に通常の運動器具では使用されない筋肉が増強され、血液の循環にも多大な利益がもたらされる。
【００２１】
図５に示されているように、前記の揺れる台の安定性の度合いを調節することも可能である。そこでは、容器の重心の高さと装置の揺れの支点の高さとの差を増大させるために、中央支持部に結合するための連結部が、容器の支持表面より上に移動するように中空の容器が修正されている。
【００２２】
本発明に従う装置のさらに好ましい実施形態は、図６に示されている。ここにおいて、本発明の物品をなす装置は、上半身、特には手、腕および肩を運動させるために使用することが可能なように修正されている。中空の容器には、その上面に、使用者が自分の手が装置と一体となるように把持することが可能なハンドグリップ６０が設けられている。そうすることで、本発明に従う装置の揺れは、手首、前腕、腕および肩の筋肉の動きを引き起こすことができる。通常、装置の寸法および装置に含まれているおもりの量によって付与される力を徐々に変化させることが可能である。また、この実施形態においては、容器の重心の高さと装置の揺れの支点の高さとの差を増大させるために、結合するための連結部を、容器の支持表面の上に移動させることが可能である。
【００２３】
本発明に従う装置のさらに好ましい実施形態が、図７に示されている。本発明の物品をなす装置は、中央支持部７２に結合する連結部７１を座席に保持する中央の凹部と、台７０およびその前記連結部７１のための突出している部分と係合することが可能な少なくとも１つの可動リング状容器７３、７４、７５と、を有する台７０からなる。前記リング状容器は、中空でなくても中空であってもよく、前記容器の内部を自由に動くことが可能な液体または固体の可動おもり７６が入れられている。別法では、前記リング状容器の内部には、１つ以上の好ましい方向に前記可動おもり７６の移動を定めるための内壁が設けられており、それには、本発明に従う装置の動的なふるまいを修正するために中空または中空でない内室が設けられてよく、および、同じ目的で、適切に配置された固体おもりが設けられてもよい。前記リング状容器は、求められる目的に適合する様々な断面形状を有することが可能である（例えば、円形、楕円形、多角形など）。
【００２４】
１つ以上の前記リング状容器は、他のものの上に重ねて使用することが可能であり、従って、装置の高さの調節、前記可動おもり７６の量の調節、および装置自体の動的なふるまいの調節をするために最大限の柔軟性をもって使用されることが可能である。さらに、前記リング状容器には、前記台７０の表面と使用者の靴の踵の間における把持力を増大させるために、滑り止め用外部面が設けられてもよい。
【００２５】
最後になるが、本発明に従う装置のさらに好ましい実施形態においては、前記中空の容器の揺れを止める前記プレート２３には、前記プレートまたはガスケット２４に適用された適切な接触センサーが設けられる。前記接触センサーは、例えば、圧電センサーまたはマイクロスイッチセンサーよりなり、それは、容器とプレートとの接触データを記録および加工する電子データ取得ボードに接続され、前記データは、統計および治療を評価および解明するために、パーソナルコンピュータへと送られることが可能である。
【図面の簡単な説明】
【００２６】
【図１】本発明に従う装置の支持基部を提供する中空の容器の構造を示す図である。
【図２】スツールである場合の、本発明に従う装置の第１の好ましい実施形態を示す図である。
【図３】背もたれおよびアームレストが設けられた椅子である場合の、本発明に従う装置の第２の実施形態を示す図である。
【図４】揺れる台である場合の、本発明に従う装置の第３の好ましい実施形態を示す図である。
【図５】中央支持部と結合した連結部のための座席が前記容器の支持表面より上に配置されている、本発明に従う装置の中空の容器を示す図である。
【図６】腕を運動させるための、本発明に従う装置の第４の好ましい実施形態を示す図である。
【図７】形状および動的なふるまいを調整するための可動部分からなる、本発明に従う装置の第５の好ましい実施形態を示す図である。
【符号の説明】
【００２７】
１０  中空の容器
１１  可動おもり
１２  連結部
１３  台
２０  座席
２１  連結部
２２  中央支持部
２３  プレート
２４  ガスケット
２５  機構
２６  基部
２７  機構
２８  可動おもり
３０  背もたれ
３１  アームレスト
４０  滑り止め材
６０  ハンドグリップ
７０  台
７１  連結部
７２  中央支持部
７３、７４、７５  可動リング状容器
７６  可動おもり
【図１】
2008523859.tif 000003
【図２】
2008523859.tif 000004
【図３】
2008523859.tif 000005
【図４】
2008523859.tif 000006
【図５】
2008523859.tif 000007
【図６】
2008523859.tif 000008
【図７】
2008523859.tif 000009
【国際調査報告】
2008523859.tif 000010
2008523859.tif 000011
2008523859.tif 000012